(57)【要約】【課題】従来の微生物を繁殖させて生ゴミを分解させる方式の生ゴミ処理機では、生ゴミ容器を固定して内部の羽根を回転させて生ゴミを撹拌させ微生物の繁殖を助けていたが、構造上、撹拌されない部分ができて、嫌気性微生物が繁殖し、悪臭の発生が見られた。また、微生物の繁殖を促すために、電熱を使用しているものや、羽根を電動モーターで回転させる方式が多く電源から離れた所や、雨ざらしのところでは、設置できなかったし、羽根にからまるので雑草は入れられなかった。【解決手段】生ゴミ容器７をプーリー５と５´からベルト６と６´で生ゴミ容器７を直接吊り下げプーリー５と５´の中心を通っているシャフト４の一端を、クランク部１３にして、手動で回転させれば生ゴミ容器７が回転して生ゴミ１４が完全に撹拌される。生ゴミ容器７の回転中心部の両側に換気口９と９´を設ける。【選択図】図１
2005087928.tif 000002
【特許請求の範囲】
【請求項１】
生ゴミ容器自体を回転させる構造にして、生ゴミを完全に撹拌させ、好気性微生物だけを活性化させて生ゴミが分解する時に発生する悪臭を少なくした生ゴミ処理機。
【請求項２】
生ゴミ容器自体を上部のプーリーからベルトを介して吊り下げる構造にした生ゴミ処理機。
【請求項３】
生ゴミ容器の両側に換気口を設けて、常に新鮮な空気を好気性微生物に供給できるようにした生ゴミ処理機。
【発明の詳細な説明】
【技術分野】
【０００１】
本発明は微生物の繁殖によって生ゴミを分解させる生ゴミ処理機に関するもので、好気性微生物の繁殖に必要な空気の供給のための撹拌方法を、内部の羽根によって行う方式ではなく、生ゴミ容器自体を回転させる構成とする事によって撹拌されない部分をなくし、嫌気性微生物の繁殖をなくし悪臭の発生を少なくすることができるようにしたものである。
さらに、容器の両側に、換気口を設けることにより、静止中でも自然に空気が流入し、発生したガスは流出して、より一層、微生物の繁殖を活発化させることが、できるようにしたものである。
【背景技術】
【０００２】
従来の微生物の繁殖によって生ゴミを分解させる方式の生ゴミ処理機は、生ゴミ容器を固定させておいて、内部に撹拌のための羽根を設け、その羽根を電動モーターの力や、人力で回転させる事によって生ゴミに空気の供給を計ったもので、電動モーターのためや、微生物の繁殖を助けるための電熱、発生したガスを外部へ排出させるための電力が必要であり、微生物の繁殖場所として、特別な培養材や脱臭材、微生物の繁殖が弱くなった時のための追加投入用微生物など、生ゴミ処理機を維持していくために消耗品に対して、多額のコストが必要であった。
【発明の開示】
【発明が解決しようとする課題】
【０００３】
本発明は従来品の構成が有していた欠点である生ゴミが部分的に撹拌されないで、嫌気性微生物の繁殖場所になり、悪臭発生の源となるのを防止するためと、撹拌方法に羽根を用いているので雑草を入れると、羽根にからまって撹拌できない。加温や排気ファンに電力を必要とするから、電源の近くでないと設置できない。構成が複雑なので製造コストが高いということや、使用中に電力使用料や追加投入用の微生物、培養材などで維持費も高くついた。
【課題を解決するための手段】
【０００４】
本発明は従来品の構成上の欠点である撹拌が完全に行えないというのを、容器自体は固定せずに上部からプーリーを介してベルトで円筒形もしくは多角形の断面の容器を吊り下げるように構成して、容器自体を回転させることによって内容物を、完全に撹拌させるようにした。容器の両側には換気口を設け、常に新鮮な空気の供給を計り、より一層好気性微生物が繁殖しやすくした。
このような簡単な構成なので、容器の容量を大きくしても、製造コストは小さくてすみ、容量を大きくする事によって、気温の低い時でも生ゴミ等の内容物の外側が断熱機能を有し、内部では充分に微生物の繁殖が進み、生ゴミなどは分解される。
そのために、加温用の電力の必要や、排気のための電力の必要もなくなり、設置場所が制約されなくなったし、内部の撹拌用の羽根をなくした事で、雑草も入れられるという効果もあらわれた。
【０００５】
【表１】
2005087928.tif 000003
【０００６】
【表２】
2005087928.tif 000004
【０００７】
表１と表２は、好気性微生物の繁殖のためには、いかに空気が必要かということを通気性のないプラスチック容器と通気性のある麻袋のなかに、籾殻と米ヌカと水の混合物を、同量だけ入れて、１２時間（１晩）放置した後に、同じ高さのところの温度を測定したものである。
【０００８】
混合物は籾殻容量３に対して、米ヌカ容量１に水を入れて混合し、等分にわけたものを使用した。使用した容器も、それぞれ直径３０ｃｍ、高さ５０ｃｍと同じ容量のものを使用した。則定時の気温は２９℃である。混合物は容器の上端いっぱいまで入れた。
【０００９】
表１と表２の対比でわかるように表面近くの温度は麻袋の場合が高く、プラスチック容器の方が５℃低かった。これは底部からの高さがそれぞれ２５ｃｍのところが１番高いが、その位置の最高温度の差だと思われる。
底部からの高さが２５ｃｍより底部に近いほうを比すると、麻袋の方は各測定点とも５０℃以上あるのに対して、プラスチック容器は空気が入らないので、微生物の繁殖が悪く、温度の上昇がゆるやかであり、一番底ではほぼ気温と同じである。
なお、プラスチック容器では底部から４０ｃｍより高いところの測定データ、麻袋では３５ｃｍより高いところの測定データがないのは、微生物の繁殖により内容物が激容したためである。
【発明の効果】
【００１０】
上述したように本発明のゴミ容器に投入された生ゴミは、完全に撹拌され好気性微生物だけが繁殖して悪臭の発生もなくなり、電力の使用も必要なくなり設置場所の制約もなくなる。また、微生物の追加投入や、脱臭剤の交換も必要なく、運転コストもかからない。
なお、気温の低い冬期間でも、生ゴミ容器の容量を大きくすれば空気を含んだ生ゴミの分解したもの自体が断熱材の役目をして、生ゴミ内部では微生物の働ける温度を確保できて、生ゴミの分解が進む。
【００１１】
また、生ゴミ容器を、ベルトによって吊り下げる構造にした事により、非常に簡単な構造で、製作費も低く抑えることができ、撹拌羽根を用いないので雑草を入れてもからまらない。
【発明を実施するための最良の形態】
【００１２】
以下、本発明の実施の形態を図面に基づいて説明する。
【００１３】
構造材１と１´の上部に開けた穴にシャフト４を通し、シャフト４に通したプーリー５と５´からベルト６と６´を生ゴミ容器７の周囲にかけて生ゴミ容器７を、吊り下げるような構造にしてある。
【００１４】
シャフト４の一端をクランク部１３にして、回転させればシャフト４からプーリー５と５´、ベルト６と６´、生ゴミ容器７の順番に、力が伝わり生ゴミ容器７が回転して、生ゴミ容器７の内部の生ゴミ１４が撹拌される。
なお、生ゴミ容器７の中央の一端に、生ゴミ１４を投入するための蓋８を設けて、生ゴミ１４の投入口とするが、蓋８は、分解された生ゴミ１４を排出する排出口も兼用する。
分解された生ゴミ１４を排出する時は、蓋８を開いた状態で生ゴミ容器７を、回転させれば、生ゴミ１４は外部に排出される。
【００１５】
生ゴミ容器の形状は、同筒状のドラム缶型が考えられるが、多角形の断面のものでもよい。ベルトはＶベルトや平ベルト、丸ベルトが使用出来る。
【図面の簡単な説明】
【００１６】
【図１】生ゴミ処理機の斜視図
【図２】生ゴミ処理機の側面図
【図３】生ゴミ容器に生ゴミが入った状態の断面図
【図４】生ゴミ容器内の換気口の形状を表してある図
【符号の説明】
【００１７】
１及び１´      構造材
２及び２´      構造材の支え材
３              構造材と構造材の支え材の開き止め
４              シャフト
５及び５´      プーリー
６及び６´      ベルト
７              生ゴミ容器
８              蓋
９及び９´      換気口
１０            構造材の開き止め
１１            構造材の支え材の開き止め
１２            ゴミ容器の横ゆれ防止材
１３            シャフトのクランク部
１４            生ゴミ
【図１】
2005087928.tif 000005
【図２】
2005087928.tif 000006
【図３】
2005087928.tif 000007
【図４】
2005087928.tif 000008